(57)【要約】【課題】扉を筐体に取付けた状態で、扉の筐体に対する上下位置関係を調整可能にする。【解決手段】筐体１の開口２の周縁５に一端部が固定された固定側部材２１と、開口を開閉する扉に固定されるとともに固定側部材の他端部に回動自在に支持された回動側部材８とからなる。そして、固定側部材２１に対して、他端部に形成され上下方向に貫通するメネジが刻設された貫通孔２３と、貫通孔に上下移動可能にねじ込まれ、上端部及び下端部が貫通孔の上側及び下側に露出するボルト２４と、このボルトの上端部に形成され上方に開口する受け穴２６と、ボルトに対する上下位置調整後に、このボルトの貫通孔に対する上下位置を固定する一対のナット２７、２８とを備えている。さらに、回動側部材８に対して、下面に突設され固定側部材の受け穴２６に上方から挿入される軸ピン１６を備えている。【選択図】      図２
0003104245.tif 000002
【実用新案登録請求の範囲】
【請求項１】
筐体の開口の周縁に一端部が固定された固定側部材と、前記開口を開閉する扉に固定されるとともに前記固定側部材の他端部に回動自在に支持された回動側部材とからなる開閉扉用蝶番装置において、
前記固定側部材は、
この固定側部材の他端部に形成され上下方向に貫通するメネジが刻設された貫通孔と、
この貫通孔に上下移動可能にねじ込まれ、上端部及び下端部が前記貫通孔の上側及び下側に露出するボルトと、
このボルトの上端部に形成され上方に開口する受け穴と、
前記ボルトに対する上下位置調整後に、このボルトにおける前記貫通孔の上側及び下側に露出している部分から貫通孔を挟み込むことによって、このボルトの貫通孔に対する上下位置を固定する一対のナットとを備え、
前記回動側部材は、この回動側部材の下面に突設され前記固定側部材の受け穴に上方から挿入される軸ピンを備えた
ことを特徴とする開閉扉用蝶番装置。
【請求項２】
筐体の開口の周縁に一端部が固定された固定側部材と、前記開口を開閉する扉に固定されるとともに前記固定側部材の他端部に回動自在に支持された回動側部材とからなる開閉扉用蝶番装置において、
前記固定側部材は前記回動側部材の上下位置を調整する上下移動調整機構を有することを特徴とする開閉扉用蝶番装置。
【考案の詳細な説明】
【技術分野】
【０００１】
本考案は電子機器を含む各種の物品を収納する筐体とこの筐体の開口を開閉する扉とを連結する開閉扉用蝶番装置に関する。
【背景技術】
【０００２】
図７に示すように、電子機器を含む各種の物品を収納する筐体１には、この筐体１の開口２を開閉する扉３が設けられている。そして、筐体１と扉３とを連結する開閉扉用蝶番装置（以下蝶番装置と略記する）４が設けられている。この蝶番装置４は、一端が筐体１の開口２の周縁５に固定された固定側部材６と、一端面が扉３の内面７に固定された回動側部材８とで構成されている。
【０００３】
図８は、蝶番装置４の概略構成を示す分解斜視図である。固定側部材６は、開口２の周縁５に固定ねじ９ａ、９ｂで固定された基板１０と、この基板１０に対して一体形成された支持部１１と、この支持部１１の先端に形成された円柱部１２と、この円柱部１２内に刻設された貫通孔１３とからなる。一方、回動側部材８は、扉３の内面７に固定された基板１５と、この基板１５の下面に下方に突設された軸ピン１６とからなる。
【０００４】
そして、筐体１側に固定された固定側部材６の貫通孔１３内に扉３側に固定された回動側部材８の軸ピン１６を、この軸ピン１６の根元まで挿入して、回動側部材８の基板１５の下面の一部を固定側部材６の円柱部１２の上面１４で支持させている。その結果、回動側部材８は、軸ピン１６を回動中心に、固定側部材６に対して回動自在に支持されることになる。したがって、図９に示すように、扉３はこの蝶番装置４にて筐体１の開口２に対して開閉自在に取付けられることになる。
【０００５】
なお、特許文献１にも電気機器収納用筐体の蝶番装置の技術が開示されている。さらに、特許文献２にも電子機器収納筐体の扉体蝶番装置の技術が開示されている。
【特許文献１】特開平１０―６５３５８号公報
【特許文献２】特開２００２−３６８４４４号公報
【考案の開示】
【考案が解決しようとする課題】
【０００６】
しかしながら、図７、図８、図９に示した蝶番装置４においても未だ改良すべき次のような課題があった。
【０００７】
すなわち、筐体１の製造誤差、扉３の製造誤差、蝶番装置４の製造誤差、及び蝶番装置４の固定側部材６の筐体１に対する取付誤差、蝶番装置４の回動側部材８の扉３に対する取付誤差が存在する。
【０００８】
これらの誤差に起因して、図１０（ａ）、（ｂ）に示すように、筐体１の上面１ａと扉３の上面３ａとが上下方向にずれる場合が多発する。このように、筐体１に扉３を取付けた後において、筐体１の上面１ａと扉３の上面３ａとが上下方向にずれたことが発見されると、扉３を筐体１から取り外して、蝶番装置４の固定側部材６の筐体１に対する上下方向の取付位置を調整する必要がある。また、蝶番装置４の回動側部材８の扉３に対する上下方向の取付位置を調整する場合もある。
【０００９】
しかし、この扉３を筐体１から取り外して、蝶番装置４の取付位置を調整して、扉３を筐体１に取付けた後に、再度、筐体１の上面１ａと扉３の上面３ａのずれの解消を確認する必要がある。そして、ずれが解消されていない場合は、再度、扉３を筐体１から取り外して、蝶番装置４の取付位置を調整する必要がある。
【００１０】
したがって、筐体１の上面１ａと扉３の上面３ａのずれを解消させるための調整に多大の手間と時間を必要とした。
【００１１】
本考案は、このような事情に鑑みてなされたものであり、扉を筐体に取付けた後において、たとえ扉の筐体に対する上下位置関係がずれていたとしても、扉を筐体に取付けた状態で、扉の筐体に対する上下位置関係を簡単に調整できる開閉扉用蝶番装置を提供することを目的とする。
【課題を解決するための手段】
【００１２】
上記課題を解消するために本考案は、筐体の開口の周縁に一端部が固定された固定側部材と、開口を開閉する扉に固定されるともに固定側部材の他端部に回動自在に支持された回動側部材とからなる開閉扉用蝶番装置において、
固定側部材は、この固定側部材の他端部に形成され上下方向に貫通するメネジが刻設された貫通孔と、この貫通孔に上下移動可能にねじ込まれ、上端部及び下端部が貫通孔の上側及び下側に露出するボルトと、このボルトの上端部に形成され上方に開口する受け穴と、ボルトに対する上下位置調整後に、このボルトにおける貫通孔の上側及び下側に露出している部分から貫通孔を挟み込むことによって、このボルトの貫通孔に対する上下位置を固定する一対のナットとを備えている。また、回動側部材は、この回動側部材の下面に突設され固定側部材の受け穴に上方から挿入される軸ピンを備えている。
【００１３】
このように構成された開閉扉用蝶番装置においては、一端部が筐体側に固定された固定側部材の他端部に上下方向に貫通するメネジが刻設された貫通孔が形成されている。そして、この貫通孔に上下移動可能に、上端部に受け穴が形成されたボルトがねじ込まれている。この受け穴に対して、扉側に固定された回動側部材の下面に突設された軸ピンが挿入される。その結果、回動側部材は、軸ピンを回動中心に、固定側部材に対して回動自在に支持されることになる。したがって、扉はこの開閉扉用蝶番装置にて筐体の開口に対して開閉自在に取付けられることになる。
【００１４】
扉側に固定された回動側部材の筐体側に固定された固定側部材に対する上下位置は、ボルトの貫通孔に対するねじ込み量を変更することによって調整可能である。したがって、扉をこの開閉扉用蝶番装置を介して筐体に取付けた状態で、扉の筐体に対する上下位置関係を簡単に調整できる。
【００１５】
調整が終了すると、このボルトにおける貫通孔の上側及び下側に露出している部分から一対のナットで貫通孔を挟み込むことによって、このボルトの貫通孔に対する上下位置を固定する。
【００１６】
また別の考案は、筐体の開口の周縁に一端部が固定された固定側部材と、開口を開閉する扉に固定されるとともに固定側部材の他端部に回動自在に支持された回動側部材とからなる開閉扉用蝶番装置において、固定側部材は回動側部材の上下位置を調整する上下移動調整機構を有する。
【００１７】
このように構成された開閉扉用蝶番装置においても、上述した考案の開閉扉用蝶番装置とほぼ同様の作用効果を奏することが可能である。
【考案の効果】
【００１８】
このように、本考案の開閉扉用蝶番装置においては、扉側に固定された回動側部材の筐体側に固定された固定側部材に対する上下位置を、ボルトの貫通孔に対するねじ込み量を変更することによって調整可能としている。したがって、扉を筐体に取付けた後において、たとえ扉の筐体に対する上下位置関係がずれていたとしても、扉を筐体に取付けた状態で、扉の筐体に対する上下位置関係を簡単に調整できる。
【考案を実施するための最良の形態】
【００１９】
以下、本考案の一実施形態を図面を用いて説明する。
【００２０】
図１は本考案の一実施形態の開閉扉用蝶番装置（以降、蝶番装置と略記する）が組込まれた筐体及び扉を示す模式図であり、図２は本考案の蝶番装置の概略構成を示す分解斜視図である。図７、図８に示す従来の蝶番装置と同一部分には同一符号を付して重複する部分の詳細説明を省略する。
【００２１】
図１に示すように、電子機器を含む各種の物品を収納する筐体１には、この筐体１の開口２を開閉する扉３が設けられている。そして、筐体１と扉３とを連結する蝶番装置２０が設けられている。この蝶番装置２０は、一端が筐体１の開口２の周縁５に固定された固定側部材２１と、一端面が扉３の内面７に固定された回動側部材８とで構成されている。
【００２２】
図２は、蝶番装置２０の概略構成を示す分解斜視図である。固定側部材２１において、筐体１の開口２の周縁５に固定ねじ９ａ、９ｂで固定された基板１０に対して支持部１１が一体形成されている。この支持部１１の先端に形成された円柱部２２内に、この円柱部２２を上下に貫通する貫通孔２３が形成されている。この貫通孔２３内にはメネジが刻設されている。
【００２３】
この貫通孔２３に上下移動可能にボルト２４がねじ込まれている。そして、このボルト２４の上端部及び下端部が貫通孔２３の上側及び下側に露出している。このボルト２４の上下の露出部分に、貫通孔２３を上下方向から挟み込み締め付けるためのナット２７、２８が設けられている。さらに、このボルト２４の上端部の頭部２５に上方に開口する受け穴２６が刻設されている。
【００２４】
一方、回動側部材８においては、一端面が扉３の内面７に固定された基板１５の下面に軸ピン１６が下向きに突設されている。
【００２５】
なお、この実施形態の蝶番装置２０においては、固定側部材２１における基板１０から支持部１１の円柱部２２の先端までの長さは５０ｍｍ前後であり、固定側部材２１のボルト２４の外径は１０ｍｍであり、ボルト２４の全長は１００ｍｍであり、受け穴２６の内径は５．２ｍｍである。さらに、回動側部材８の軸ピン１６の外径は５．０ｍｍである。
【００２６】
そして、図３の断面図に示すように、筐体１側に固定された固定側部材２１のボルト２４の頭部２５に形成された受け穴２６内に、扉３側に固定された回動側部材８の軸ピン１６を、この軸ピン１６の根元まで挿入して、回動側部材８の基板１５の下面の一部を固定側部材２１のボルト２４の頭部２５の上面で支持させている。なお、前述したように、軸ピン１６の外径は受け穴２６の内径より小さいので、軸ピン１６は受け穴２６で自由に回動可能である。
【００２７】
その結果、回動側部材８は、軸ピン１６を回動中心に、固定側部材２１に対して回動自在に支持されることになる。したがって、図４に示すように、扉３はこの蝶番装置２０にて筐体１の開口２に対して開閉自在に取付けられることになる。
【００２８】
次に、このように構成された蝶番装置２０の調整手順を説明する。工場の組立工程において、筐体１に対して固定側部材２１を取付け、扉３に対して回動側部材８を取付け、その後、回動側部材８の軸ピン１６を固定側部材２１の受け穴２６に挿入することによって、扉３を筐体１に取付ける。
【００２９】
この状態において、図１０（ａ）、（ｂ）に示すように、筐体１の上面１ａと扉３の上面３ａとが上下方向にずれが存在するか否かを目視で調べる。ずれが存在しなければ、蝶番装置２０におけるボルト２４の貫通孔２３の上側及び下側に露出している部分から一対のナット２８、２８で貫通孔２３が形成された円柱部２２を挟み込むことによって、図３に示すように、このボルト２４の貫通孔２３に対する上下位置を固定する。よって、ボルト２４の頭部２５の上下位置が固定され、結果的に、扉３の筐体１に対する上下位置が固定される。
【００３０】
一方、筐体１の上面１ａと扉３の上面３ａとが上下方向にずれが存在すれば、蝶番装置２０におけるボルト２４の貫通孔２３に対するねじ込み量を、ボルト２４の頭部２５を治具を用いて回転させることによって調整する。具体的には、筐体１の上面１ａと扉３の上面３ａとの上下方向のずれが解消するまで、ボルト２４の貫通孔２３に対する上下位置（ねじ込み量）を調整する。
【００３１】
扉３の筐体１に対する上下位置の調整作業が終了すると、前述したように、ボルト２４の貫通孔２３の上側及び下側に露出している部分から一対のナット２８、２８で貫通孔２３が形成された円柱部２２を挟み込むことによって、このボルト２４の貫通孔２３に対する上下位置を固定する。
【００３２】
このように構成された蝶番装置２０においては、基板１０が筐体１の開口２の周縁５に固定された固定側部材２１の支持部１１の円柱部２２に上下方向に貫通するメネジが刻設された貫通孔２３が形成されている。そして、この貫通孔２３に、頭部２５に受け穴２６が形成されたボルト２４が上下移動可能にねじ込まれている。
【００３３】
この受け穴２６に対して、扉３の内面７に一端面が固定された回動側部材８の基板１５の下面に突設された軸ピン１６が挿入される。その結果、回動側部材８の基板１５は、軸ピン１６を回動中心に、固定側部材２１のボルト２４の頭部２５の上面に対して回動自在に支持されることになる。
【００３４】
扉３側に固定された回動側部材８の筐体１側に固定された固定側部材２１に対する上下位置は、前述したように、ボルト２４の貫通孔２３に対するねじ込み量を変更することによって調整可能である。したがって、扉３をこの蝶番装置２０を介して筐体１に取付けた状態で、扉３の筐体１に対する上下位置関係を簡単に調整できる。
【００３５】
したがって、扉３を筐体１に取付けた後において、たとえ扉３の筐体１に対する上下位置関係がずれていたとしても、扉３を筐体１に取付けた状態で、扉３の筐体１に対する上下位置関係を調整して、簡単にずれを解消できる。
【００３６】
なお、本考案は上述した実施形態に限定されるものではない。図５に示すように、大型の筐体１においては、開口２も大きい。したがって、この開口２を開閉する扉３も大型化する。この場合、扉３は複数の蝶番装置で筐体１に取付けられる。そして、複数の蝶番装置のうちの最上位の蝶番装置のみ実施形態の蝶番装置２０を採用し、他の蝶番装置を従来の蝶番装置４を採用することも可能である。
【００３７】
この場合、扉３の重量は最上位の実施形態の蝶番装置２０のみで支持し、扉３の筐体１に対する上下位置関係の調整も最上位の実施形態の蝶番装置２０のみで実施する。すなわち、実施形態の蝶番装置２０の下方に位置する従来の蝶番装置４においては、図８において、軸ピン１６が貫通孔１３内に挿入された状態において、回動側部材８の基板１５の下面と固定側部材６の円柱部１２の上面１４との間に故意に隙間が生じるように、回動側部材８の基板１５の扉３に対する取付け位置が設定されている。したがって、実施形態の蝶番装置２０の下方に位置する従来の蝶番装置４は、扉３の水平面内での回動位置（範囲）を規制する機能のみを有する。
【００３８】
さらに、図６に示すように、扉３の内面７に固定された回動側部材８ａにおいて、１枚の金属板を軸ピン１６ａを包むように曲げ形成した基板１５ａを採用することも可能である。
【図面の簡単な説明】
【００３９】
【図１】本考案の一実施形態の蝶番装置が組込まれた筐体及び扉を示す模式図
【図２】同実施形態の蝶番装置の概略構成を示す分解斜視図
【図３】同実施形態の蝶番装置の要部の断面模式図
【図４】同実施形態の蝶番装置における扉の開閉動作を示す図
【図５】同実施形態の蝶番装置が組込まれた大型の筐体及び扉を示す模式図
【図６】本考案の他の実施形態の蝶番装置に組込まれた回動側部材を示す斜視図
【図７】従来の蝶番装置が組込まれた筐体及び扉を示す模式図
【図８】同従来の蝶番装置の概略構成を示す分解斜視図
【図９】同従来の蝶番装置における扉の開閉動作を示す図
【図１０】筐体の上面と扉の上面とが上下方向にずれる状態を示す図
【符号の説明】
【００４０】
１…筐体、２…開口、３…扉、４，４１…蝶番装置、５…周縁、６，２１…固定側部材、７…内面、８…回動側部材、９ａ，９ｂ…固定ねじ、１０、１５…基板、１１…支持部、１６…軸ピン、２２…円柱部、２３…貫通孔、２４…ボルト、２５…頭部、２６…受け穴、２７，２８…ナット
【図１】
0003104245.tif 000003
【図２】
0003104245.tif 000004
【図３】
0003104245.tif 000005
【図４】
0003104245.tif 000006
【図５】
0003104245.tif 000007
【図６】
0003104245.tif 000008
【図７】
0003104245.tif 000009
【図８】
0003104245.tif 000010
【図９】
0003104245.tif 000011
【図１０】
0003104245.tif 000012